(57)【要約】  ＧＰＲＳ通信ネットワークにおけるＭＴＣ装置に関連するシグナリング及びデータトラフィックの双方を低減するための方法及び技法が開示される。ＭＴＣ装置からの最適化されたＭＴＣメッセージは、シングルブロックパケットアクセス手続きを用いて送信され、移動局のＧＰＲＳアタッチ手続きの期間中に確立されるＰＤＰコンテキストに基づいてＳＧＳＮによってレストアされる。【選択図】図４
2013530614.tif 000002
【特許請求の範囲】
【請求項１】
第１のネットワークノードと第２のネットワークノードとの間のデータ通信についてのプロトコルスタック最適化の方法であって、前記第１のネットワークノード及び前記第２のネットワークノードは、１つ以上のプロトコル層を備えるプロトコルスタックを介して通信し、前記方法は、
インターネットプロトコル（ＩＰ）パケットを用いるターゲットネットワークノードにおけるターゲットアプリケーションへの伝達のために、最適化されたメッセージを前記第１のネットワークノードにおいて構築することと、
前記最適化されたメッセージを前記第１のネットワークノードから前記第２のネットワークノードへ送信することと、
を含み、
前記最適化されたメッセージはＩＰヘッダを含まず、
前記最適化されたメッセージにおける予め特定されるデータフィールドは、前記ターゲットアプリケーションへの伝達の前にトランスポート層ヘッダ及びＩＰヘッダが前記最適化されたメッセージに付加されなければならないことを前記第２のネットワークノードに示す値に設定される、
方法。
【請求項２】
前記第１のネットワークノード及び前記第２のネットワークノードは、ＧＰＲＳネットワークに存在し、前記予め特定されるデータフィールドは、前記プロトコルスタックの論理リンク制御層におけるサービスアクセスポイント識別子フィールドである、請求項１に記載の方法。
【請求項３】
前記最適化されたメッセージは、ＵＤＰヘッダを含まず、前記最適化されたメッセージにおける前記予め特定されるデータフィールドは、前記ターゲットアプリケーションへの伝達の前にＵＤＰヘッダ及びＩＰヘッダが前記最適化されたメッセージに付加されなければならないことを前記第２のネットワークノードに示す値に設定される、請求項１に記載の方法。
【請求項４】
１つ以上のプロトコル層を備えるプロトコルスタックを介して通信するネットワークノード間のデータ通信についての最適化されたメッセージをリレーする方法であって、前記方法は、
前記ネットワークノードのうちの１つにおいてメッセージを受信することと、
予め特定されるデータフィールドをチェックすることによって、受信される前記メッセージが最適化されたメッセージであることを確認することと、
受信される前記メッセージが最適化されたメッセージであることを確認することに応じて、プロトコルスタック最適化に起因して前記メッセージにおいて欠損しているユーザデータグラムポート（ＵＤＰ）ソースポート番号及びＵＤＰ宛先ポート番号を取得し、プロトコルスタック最適化に起因して前記メッセージにおいて欠損しているインターネットプロトコル（ＩＰ）宛先アドレス及びＩＰソースアドレスを取得することと、
取得される前記ＵＤＰポート番号及び前記ＩＰアドレスに基づいて、前記メッセージに付加されるべきＵＤＰヘッダ及びＩＰヘッダを構築することと、
前記メッセージを送信することと、
を含む、方法。
【請求項５】
前記ネットワークノードはＧＰＲＳネットワークに存在する、請求項４に記載の方法。
【請求項６】
受信される前記メッセージに対応するＰ−ＴＭＳＩ（Packet  Temporary  Mobile  Subscriber  Identity）番号を、前記第１のネットワークノードに関連付けられるパケットデータプロトコルアドレスにマッピングすることによって、前記ＩＰソースアドレスが取得される、請求項５に記載の方法。
【請求項７】
受信される前記メッセージに含まれるＰ−ＴＭＳＩ（Packet  Temporary  Mobile  Subscriber  Identity）番号を、ターゲットネットワークノードに関連付けられるパケットデータプロトコルアドレスにマッピングすることによって、前記ＩＰ宛先アドレスが取得される、請求項５に記載の方法。
【請求項８】
第１のネットワークノードと第２のネットワークノードとの間のデータ通信についてのプロトコルスタック最適化の方法であって、前記第１のネットワークノード及び前記第２のネットワークノードは、１つ以上のプロトコル層を備えるプロトコルスタックを介して通信し、前記方法は、
インターネットプロトコル（ＩＰ）パケットを用いてリレーされるユーザデータグラムプロトコル（ＵＤＰ）パケットを介したターゲットネットワークノードにおけるターゲットアプリケーションへの伝達のために、最適化されたメッセージを前記第１のネットワークノードにおいて構築することと、
前記最適化されたメッセージを前記第１のネットワークノードから前記第２のネットワークノードへ送信することと、
を含み、
前記最適化されたメッセージはＵＤＰヘッダ又はＩＰヘッダを含まず、
前記最適化されたメッセージにおける予め特定されるデータフィールド、及び前記最適化されたメッセージに対応するネットワークノード識別番号は、ユーザデータグラムプロトコル（ＵＤＰ）ポート番号情報を導出するために用いられ、第２の予め特定される第２のデータフィールドは、前記メッセージが最適化されていることを示す、
方法。
【請求項９】
前記ネットワークノードは、ＧＰＲＳネットワークに存在し、前記予め特定されるデータフィールドは、前記プロトコルスタックのサブネットワーク依存集中プロトコル層におけるネットワークサービスアクセスポイント識別子フィールドであり、前記ネットワークノード識別番号は、Ｐ−ＴＭＳＩ（Packet_Temporary  Mobile  Subscriber  Identity）である、請求項８に記載の方法。
【請求項１０】
前記ネットワークノードは、ＧＰＲＳネットワークに存在し、前記最適化されたメッセージにおける第２の予め特定されるデータフィールドは、前記ターゲットアプリケーションへの伝達の前にＵＤＰヘッダ及びＩＰヘッダが前記最適化されたメッセージに付加されなければならないことを前記第２のネットワークノードに示す値に設定される、請求項８に記載の方法。
【請求項１１】
前記第２の予め特定されるデータフィールドは、前記プロトコルスタックの論理リンク制御層におけるサービスアクセスポイント識別子フィールドである、請求項１０に記載の方法。
【請求項１２】
前記対応するネットワークモード識別子番号は、アタッチ手続きの期間中に無線ネットワークノードに割り当てられるＰ−ＴＭＳＩ（Packet  Temporary  Mobile  Subscriber  Identity）であり、当該Ｐ−ＴＭＳＩについて対応するＩＰアドレス情報及びＵＤＰポート情報は、前記アタッチ手続き及びＰＤＰコンテキストアクティブ化手続きの期間中に無線ネットワークノードと第２のネットワークノードとの間で渡される情報を用いて識別される、請求項８に記載の方法。
【請求項１３】
１つ以上のプロトコル層を備えるプロトコルスタックを介して通信するネットワークノード間のデータ通信についての最適化されたメッセージをリレーする方法であって、前記方法は、
前記ネットワークノードのうちの１つにおいてメッセージを受信することと、
プロトコルスタック最適化に起因して、前記メッセージは、ユーザデータグラムプロトコル（ＵＤＰ）ヘッダ又はインターネットプロトコル（ＩＰ）ヘッダを含まないことと、
前記メッセージにおける予め特定されるデータフィールド、及び、前記メッセージに対応するネットワークノード識別番号を用いて、ユーザデータグラムプロトコル（ＵＤＰ）ポート番号情報を導出することと、
前記メッセージに対応する前記ネットワークノード識別番号を用いて、ＩＰ宛先アドレス及びＩＰソースアドレスを取得することと、
取得される前記ＵＤＰポート情報及び取得される前記ＩＰアドレスに基づいて、ＩＰヘッダ及びＵＤＰヘッダを構築し、当該ＩＰヘッダ及び当該ＵＤＰヘッダを前記メッセージに付加することと、
前記メッセージを送信することと、
を含む、方法。
【請求項１４】
前記ネットワークノードは、ＧＰＲＳネットワークに存在し、前記予め特定されるデータフィールドは、前記プロトコルスタックのサブネットワーク依存集中プロトコル層におけるネットワークサービスアクセスポイント識別子フィールドであり、前記ネットワークノード識別番号は、Ｐ−ＴＭＳＩ（Packet  Temporary  Mobile  Subscriber  Identity）である、請求項１３に記載の方法。
【請求項１５】
第２の予め特定されるデータフィールドをチェックすることによって、受信される前記メッセージが最適化されたメッセージであることを確認すること、
をさらに含む、請求項１３に記載の方法。
【請求項１６】
前記第２の予め特定されるデータフィールドは、前記プロトコルスタックの論理リンク制御層におけるサービスアクセスポイント識別子フィールドである、請求項１５に記載の方法。
【請求項１７】
対応する前記ネットワークノード識別番号は、アタッチ手続きの期間中に第１のネットワークノードに割り当てられるＰ−ＴＭＳＩ（Packet  Temporary  Mobile  Subscriber  Identity）であり、当該Ｐ−ＴＭＳＩについて対応するＩＰアドレス情報及びＵＤＰポート情報は、前記アタッチ手続き及びＰＤＰコンテキストアクティブ化手続きの期間中に第１のネットワークノードと第２のネットワークノードとの間で渡される情報を用いて識別される、請求項１３に記載の方法。
【請求項１８】
第１のネットワークノードから第２のネットワークノードへメッセージを伝達する方法であって、前記第１のネットワークノード及び前記第２のネットワークノードは、１つ以上のプロトコル層を備えるプロトコルスタックを介して通信し、前記第２のネットワークノードは、プロトコルスタック最適化をサポートすることが可能であり、前記方法は、
前記第１のネットワークノードにおいてメッセージを受信することと、
プロトコルスタック最適化のために、受信される前記メッセージからユーザデータグラムプロトコル（ＵＤＰ）ヘッダ及びインターネットプロトコル（ＩＰ）ヘッダを除去することと、
前記メッセージにおけるデータフィールドを予め特定される値に設定して、前記メッセージが最適化されていることを示すことと、
最適化された前記メッセージを前記第２のネットワークノードに送信することと、
を含む、方法。
【請求項１９】
前記第１のネットワークノード及び前記第２のネットワークノードは、ＧＰＲＳネットワークに存在する、請求項１８に記載の方法。
【請求項２０】
前記予め特定されるデータフィールドは、前記プロトコルスタックの論理リンク制御層におけるサービスアクセスポイント識別子フィールドである、請求項１８に記載の方法。
【請求項２１】
１つ以上のプロトコル層を備えるプロトコルスタックを介して第２のネットワークノードと通信するように構成される、プロトコルスタック最適化をサポートすることが可能な無線ネットワークノードであって、当該無線ネットワークノードは、
前記無線ネットワークノードにおけるアプリケーション層からメッセージを受信するための受信ユニットと、
前記無線インタフェース上でメッセージを送信するための送信ユニットと、
前記受信ユニットから受信されるメッセージを処理するための処理ユニットと、
を備え、
当該処理ユニットは、
ユーザデータグラムプロトコル（ＵＤＰ）／インターネットプロトコル（ＩＰ）パケットを介したターゲットネットワークノードにおけるターゲットアプリケーションへの伝達のために、最適化されたメッセージを構築し、
前記最適化されたメッセージを前記第２のネットワークノードに送信するように構成され、
前記最適化されたメッセージは、ＵＤＰヘッダ又はＩＰヘッダを含まず、
前記最適化されたメッセージにおける予め特定されるデータフィールドは、前記ターゲットアプリケーションへの伝達の前にＵＤＰヘッダ及びＩＰヘッダが前記最適化されたメッセージに付加されなければならないことを前記第２のネットワークノードに示す値に設定される、
無線ネットワークノード。
【請求項２２】
１つ以上のプロトコル層を備えるプロトコルスタックを介して第２のネットワークノードと通信するように構成される、プロトコルスタック最適化をサポートすることが可能な無線ネットワークノードであって、当該無線ネットワークノードは、
前記無線インタフェース上のメッセージを受信するための受信ユニットと、
前記無線ネットワークノードにおける前記アプリケーション層にメッセージを送信するための送信ユニットと、
前記受信ユニットから受信されるメッセージを処理し、前記送信ユニットによって送信されるべきメッセージを準備するための処理ユニットと、
を備え、
当該処理ユニットは、
メッセージを受信し、
前記データパケットにおける予め特定されるデータフィールドを用いて、ユーザデータグラムプロトコル（ＵＤＰ）ポート番号情報を導出し、
取得される前記ＵＤＰポート番号情報に基づいて、前記メッセージを前記ターゲットアプリケーションに伝達する、
ように構成され、
プロトコルスタック最適化に起因して、前記メッセージは、ユーザデータグラムプロトコル（ＵＤＰ）又はインターネットプロトコル（ＩＰ）ヘッダを含まない、
無線ネットワークノード。
【請求項２３】
前記ネットワークノードは、ＧＰＲＳネットワークに存在し、前記予め特定されるデータフィールドは、前記プロトコルスタックのサブネットワーク依存集中プロトコル層におけるネットワークサービスアクセスポイント識別子フィールドである、請求項２２に記載の方法。
【請求項２４】
１つ以上のプロトコル層を備えるプロトコルスタックを介して第２のネットワークノードと通信するように構成される、プロトコルスタック最適化をサポートすることが可能な無線ネットワークノードであって、当該無線ネットワークノードは、
前記無線インタフェース上のメッセージを受信するための入力ユニットと、
前記無線ネットワークノードの前記アプリケーション層にメッセージを送信するための出力ユニットと、
前記入力ユニットから受信されるメッセージを処理し、前記出力ユニットによって送信されるべきメッセージを準備するための処理ユニットと、
を備え、
当該処理ユニットは、
プロトコルスタック最適化に起因してユーザデータグラムプロトコル（ＵＤＰ）又はインターネットプロトコル（ＩＰ）ヘッダを含まないメッセージを受信し、
前記メッセージにおける予め特定されるデータフィールドを用いて、ユーザデータグラムプロトコル（ＵＤＰ）ポート番号情報を導出し、
前記メッセージに対応する前記ネットワークノード識別番号を用いて、ＩＰ宛先アドレス及びＩＰソースアドレスを取得し、
抽出される前記ＵＤＰポート情報及び取得される前記ＩＰアドレスに基づいて、ＩＰヘッダ及びＵＤＰヘッダを構築し、当該ＩＰヘッダ及び当該ＵＤＰヘッダを前記メッセージに付加してＵＤＰ／ＩＰデータパケットを形成し、
前記ＵＤＰ／ＩＰデータパケットを前記無線ネットワークノードにおける前記アプリケーション層に送信するように構成される、
無線ネットワークノード。
【発明の詳細な説明】
【技術分野】
【０００１】
[関連出願]
本願は、２０１０年５月１０日に出願された米国仮特許出願第６１／３３２，９９１号の優先権を主張し、その全内容が参照によって本明細書に包含される。
【０００２】
本願は、ＭＴＣ（machine-type  communication）装置に関し、特に無線ネットワークを横断するＭＴＣメッセージを扱うことに関する。
【背景技術】
【０００３】
汎用パケット無線サービス（ＧＰＲＳ：General  Packet  Radio  Service）は、ＧＳＭネットワークに加えて、データサービスをサポートするために設計された標準のセットである。ＧＰＲＳは、透過的なＩＰサービスを基礎となる（underlying）ＧＳＭネットワークに提供し、ＧＳＭネットワークがインターネットとインタフェースすることを可能にする。図１は、典型的なＧＰＲＳ通信ネットワーク１００を図示する。ＧＰＲＳ通信ネットワーク１００は、基地送受信局（ＢＴＳ：Base  Transceiver  Station）１０８、基地局制御装置（ＢＳＣ：Base  Station  Controller）１１０、及び移動通信交換局（ＭＳＣ：Mobile  Switching  Center）１２２といったＧＳＭネットワークノードを備え、これらがＧＳＭコアネットワークを形成する。ＧＰＲＳ通信システムネットワークは、ＧＰＲＳ  ＩＰバックボーン１１４を介してＧＧＳＮ（Gateway  GPRS  Support  Node）１１６に接続されるＳＧＳＮ（Serving  GPRS  Support  Node）１１２も備え、これらのコンポーネントがＧＰＲＳコアネットワークを形成する。ＧＰＲＳネットワーク１００は、パケットデータサービスを移動局１０２、１０４、及び１０６に提供し、インターネット１１８にわたってアプリケーションサーバ１２０によって提供されるデータサービスにこれらの移動局がアクセスすることを可能にする。
【０００４】
移動局１０２、１０４、又は１０６の電源が入ると、当該移動局は、ＭＳＣ／ＶＬＲ１２２に対するＧＳＭ登録及び位置更新手続き、及びＳＧＳＮ１１２に対するＧＰＲＳ登録及びルーティングエリア更新手続きを開始する。これら２つの登録処理は、組み合わされることができ、「アタッチ（attach）」と称されてもよい。一旦アタッチされると、移動局は、ＭＳＣ／ＶＬＲ１２２に対する当該移動局の位置更新、及びＳＧＳＮ１１２に対する当該移動局のルーティングエリア更新を実行する。ＧＰＲＳ登録（ＧＰＲＳアタッチ）の期間中、移動局１０２、１０４、又は１０６は、ＳＧＳＮ１１２に送信されるべきＧＰＲＳアタッチ要求を開始する。ＳＧＳＮ１１２は、ＭＳＣ１２２に対して移動局のＩＤを認証し、ＭＳＣ１２２から当該移動局についてのサービスの承認を受信し、当該移動局にＰ−ＴＭＳＩ（Packet  Temporary  Mobile  Subscriber  Identity）を割り当てる。
【０００５】
移動局１０２、１０４、又は１０６が音声送信を試みる場合、エンドツーエンドの回路交換接続が確立される必要がある。移動局１０２、１０４、又は１０６がデータ送信を試みる場合、エンドツーエンドの接続は必要ではないが、代わりに、パケットデータプロトコル（ＰＤＰ）コンテキストが最初に生成されて、当該移動局とＳＧＳＮ／ＧＧＳＮとの間で為されるデータ送信に関連付けられる操作パラメータをネットワークが識別することを可能にしなければならない。ＰＤＰコンテキストは、この特定のＰＤＰコンテキストについての要求されるＱｏＳ、及びあるプロトコル設定オプションといったパラメータを含む。ＰＤＰコンテキストの確立は、移動局１０２、１０４、又は１０６と、ＳＧＳＮ１１２と、ＳＧＳＮ１１２／ＧＧＳＮ１１６との間のメッセージングによって扱われる。ＰＤＰコンテキストのアクティブ化は、移動局、ＧＧＳＮ、又はＳＧＳＮによって開始され得、通常、移動局と、ＳＧＳＮと、ＧＧＳＮとの間で送信される一連のメッセージを含む。例えば、ＰＤＰコンテキストの確立が移動局１０２によって開始される場合、移動局１０２はＰＤＰコンテキストアクティブ化要求（Activate  PDP  Context  Request）メッセージをＳＧＳＮ１１２に送信する。ＰＤＰコンテキストアクティブ化要求メッセージは、移動局の要求されるＰＤＰアドレス、アクセスポイント名（ＡＰＮ：Access  Point  Name）、要求されるＮＳＡＰＰＩ（Network  Service  Access  Point  Identifier）、要求されるＱｏＳ等を含む。ＰＤＰコンテキストアクティブ化要求を受信した後、ＳＧＳＮ１１２は、意図されるＧＧＳＮのアドレスを当該アクティブ化要求に含まれるＡＰＮから導出し、ＰＤＰコンテキスト生成要求（Create  PDP  Context  Request）メッセージを意図されるＧＧＳＮ、例えばＧＧＳＮ１１６に送信する。ＰＤＰコンテキスト生成要求メッセージは、ＴＥＩＤ（Tunnel  Endpoint  Identifier）、ＡＰＮ、及び要求されるＰＤＰアドレス等を含む。それに応じて、ＧＧＳＮ１１６は、ＰＤＰコンテキスト生成の結果を含むＰＤＰコンテキスト生成応答（Create  PDP  Context  Response）メッセージをＳＧＳＮ１１２に送信し得る。ＰＤＰコンテキスト応答メッセージをＧＧＳＮ１１６から受信すると、ＳＧＳＮ１１２は、ＰＤＰコンテキストアクティブ化承認（Activate  PDP  Context  Accept）メッセージを移動局に送信する。ＰＤＰコンテキストアクティブ化承認メッセージは、移動局について割当てられるＰＤＰアドレス、ＰＤＰコンテキストに関連付けられるＰＦＩ（Packet  Flow  Identifier）値、及びＬＬＣ  ＳＡＰＩ（Service  Access  Point  Identifier  at  the  LLC  layer）値を含んでもよい。ＬＬＣ  ＳＡＰＩは、ＧＰＲＳデータサービスについて用いられることができるＬＬＣ層におけるアクセスポイントを識別する。
【０００６】
移動局は、しばしばＭＴＣアプリケーションを実行し、本明細書においてＭＴＣ装置と称される。略語「ＭＴＣ」は、任意のタイプのＭＴＣを広く称するために用いられる。ＭＴＣ装置の例には、スマートメータ、監視カメラ、健康モニタリング装置等が含まれる。ＭＴＣ装置は、通常、ＭＴＣアプリケーションを実行し、インターネット上に設けられるＭＴＣサーバとのＧＰＲＳ通信ネットワークを介したマシンツーマシン通信に従事する。マシンツーマシン通信は、人間のインタラクションを全く含まないか、又は非常に限定された人間のインタラクションを含む。通信ネットワークは、例えば、ｘＤＳＬ（デジタル加入者回線）、ＬＴＥ（3GPP  Long  Term  Evolution）、ＬＴＥ  ａｄｖａｎｃｅｄ、ＷｉＭａｘ（worldwide  interoperability  for  microwave  access）、ＷＬＡＮ（wireless  local  area  network）等に基づくことができる。
【０００７】
ＭＴＣ装置の数の増加、及びＭＴＣアプリケーションのオートメーション化された特質を理由に、ＭＴＣトラフィックは、主に人間同士の通信のために設計される無線通信ネットワークに、大きな容量を要求することが予期される。例えば、ＰＤＰコンテキストアクティブ化について、当該アクティブ化が移動局によって開始される場合は、少なくとも４つのシグナリングメッセージ（ＰＤＰコンテキストアクティブ化要求、ＰＤＰコンテキスト生成要求、ＰＤＰコンテキスト応答（PDP  Context  Response）、及びＰＤＰコンテキスト承認（PDP  Context  Accept））が送信される。アクティブ化がＧＧＳＮ又はＳＧＳＮによって開始される場合には、より多くのメッセージが含まれる。１つのＧＰＲＳ通信ネットワークに設けられる全てのＭＴＣ装置が同時に当該ネットワークに再接続するシナリオ、例えば停電後において、通信システムは、ＰＤＰコンテキストアクティブ化に関連する非常に多くのシグナリングメッセージによって過度の負荷を受け（overwhelmed）得る。
【０００８】
別の例において、著しい数のＭＴＣ装置が１０オクテット以下の情報から成る短いＭＴＣメッセージを通常に送信するであろうことが予期される。ＧＰＲＳ標準は、アップリンクテンポラリブロックフロー（ＴＢＦ）の確立を含まないシングルブロックパケットアクセス手続きを定義する。ＴＢＦリンクは、データ送信について一時的に割当てられる、移動局と基地局システムとの間の物理層における接続である。シングルブロックパケットアクセス手続きは、パケットメジャメントレポートメッセージを送信するために移動局によって用いられる。メジャメントレポートメッセージを送信する前に、移動局は、まずパケットチャネル要求メッセージを無線アクセスチャネル上でＢＳＳに送信して、アップリンクＴＢＦの確立無しのシングルブロックパケットアクセスを要求する。移動局からチャネル要求メッセージを受信すると、ＢＳＳは、シングル無線ブロックを移動局に割り当て、即時割当て（Immediate  Assignment）メッセージをアクセス許可チャネル上で移動局に送信する。即時割当てメッセージは、電力制御パラメータ設定及びシングルブロックの最初のフレーム番号についての開始時刻を含むパケットアップリンクリソース記述を包含する。即時割当てメッセージを受信した後、移動局は、割り当てられる無線ブロックの開始時刻にパケットデータチャネル上でパケットメジャメントレポートメッセージを送信する。シングルブロックパケットアクセス手続きにおいては、ＢＳＳによる確認応答は提供されず、それ故に、ＡＣＫ／ＮＡＣＫメッセージは含まれない。
【０００９】
しかしながら、ＭＴＣメッセージ送信についてシングルブロックパケットアクセス手続きを用いようと試みることは、無線インタフェースプロトコルスタック、例えばＵＤＰ／ＩＰ／ＳＮＤＣＰ／ＬＬＣにおける様々なプロトコル層に関連付けられるオーバーヘッドと共にＭＴＣメッセージが、１つのシングル無線ブロック（ＣＳ−１コーディングが用いられる場合、２２オクテット）内に収まる（fit）ことを要求する。しかし、プロトコルスタックのトランスポート層及びネットワーク層からのヘッダは、多量のオーバーヘッドを追加する。例えば、ＵＤＰ／ＩＰ層についてのヘッダだけでも、ＭＴＣメッセージごとに４６〜４８オクテットのオーバーヘッドを追加する。
【００１０】
ＵＭＴＳ（Universal  Mobile  Telecommunications  Systems）についてのその標準のリリース１０において、３ＧＰＰ（3rd  Generation  Partnership  Project）は、ＭＴＣをサポートする３ＧＰＰネットワークシステムの改良のための要件を確立している最中である。この研究の目的は、ネットワークにおける多数のＭＴＣ装置をサポートし、ＭＴＣ通信サービスについての必要なネットワークイネーブラを提供するために要求される３ＧＰＰネットワークの増強内容（enhancements）を識別することである。具体的には、３ＧＰＰシステムによって提供されるようなＭＴＣについてのトランスポートサービス、及び関連する最適化に加えて、ＭＴＣ装置、ＭＴＣサーバ、及びＭＴＣアプリケーションがネットワークの輻輳又はシステムオーバーロードを引き起こさないことを確保するために必要とされる側面が検討されている。しかしながら、現行のモバイルネットワークは依然として人間同士の通信について最適に設計されたままであり、従って、ＭＴＣアプリケーションについてはあまり最適ではない。また、（例えば、ＰＤＰコンテキストアクティブ化に関連するシグナリングについての）ＭＴＣ帯域幅需要は、ネットワークによってサービスされるＭＴＣ装置の数が増加するにつれて、著しく増加することが予期される。ＭＴＣ装置は、シグナリングプレーン及び送信プレーンの双方においてペイロード要求を課す。シグナリング（制御）プレーン及びデータ送信（ユーザ）プレーンの双方におけるＭＴＣトラフィックの低減に関連する方法及び技法が、システムオーバーロードを低減し、ネットワーク効率を改善するために必要とされる。
【発明の概要】
【課題を解決するための手段】
【００１１】
プロトコルスタック最適化がＭＴＣ装置について提供されて、ＭＴＣメッセージが送信を要求する場合に送信されるユーザプレーンペイロードの総量が低減される。シグナリング最適化がＭＴＣ装置について提供されて、典型的にはレガシーのモバイル装置について要求される、ＭＴＣ装置からＳＧＳＮ  ＮＡＳ（non-access  stratum）へのシグナリングなどのエンドツーエンドのシグナリング手続きのうちの幾つかを低減し又は除去さえする。そのような最適化は、ＭＴＣメッセージを送信するための最適化されたシングルブロックパケットアクセス手続きを用いることも含むことができる。プロトコルスタックにおいて要求されるプロトコル層の数は低減されることができ、それ故に、ＭＴＣアプリケーション層メッセージが無線インタフェースを介してＭＴＣ装置に送信され又はＭＴＣ装置から送信される場合に、必要とされる帯域幅も低減されることができる。
【００１２】
ＧＰＲＳ通信ネットワークにおけるＭＴＣ装置とＳＧＳＮとの間のデータ通信についてのプロトコルスタック最適化の１つの実施形態によれば、ＭＴＣ装置は、インターネット上に設けられるＭＴＣアプリケーションサーバにおけるターゲットアプリケーションへの伝達のために、最適化されたメッセージを構築する。最適化されたメッセージは、ＩＰヘッダ又はＵＤＰヘッダを含まない。ＭＴＣ装置は、最適化されたメッセージにおける予め特定されるデータフィールドにおいて予め特定される値を設定して、ターゲットアプリケーションへの伝達の前にＩＰヘッダ及びＵＤＰヘッダが最適化されたメッセージに付加されなければならないことをＳＧＳＮに示す。幾つかの例において、予め特定されるデータフィールドは、論理リンク制御層におけるサービスアクセスポイント識別子フィールドである。ＵＤＰプロトコルの代わりにＴＣＰに依存する幾つかのＭＴＣアプリケーションについて、ＭＴＣ装置によって送信される最適化されたメッセージは、ＩＰヘッダ又はＴＣＰヘッダを含まない。最適化されたメッセージにおける予め特定されるデータフィールドは、ターゲットアプリケーションへの伝達の前にＳＧＳＮにＩＰ及びＴＣＰヘッダを最適化されたメッセージに付加するように伝える値に設定される。
【００１３】
最適化されたプロトコルスタックを介して通信するＭＴＣ装置とＳＧＳＮとの間のデータ通信についての最適化されたメッセージのルーティングの１つの実施形態によれば、ＳＧＳＮは、ＭＴＣからメッセージを受信し、予め特定されるデータフィールドをチェックすることによって、受信されるメッセージが最適化されたメッセージであることを確認する。この最適化されたメッセージをＧＧＳＮに転送するために、ＳＧＳＮは、当該メッセージを、ＵＤＰソースポート番号、ＵＤＰ宛先ポート番号、ＩＰソースアドレス、及びＩＰ宛先アドレスで満たす。幾つかの例において、ユーザデータグラムポート（ＵＤＰ）ポート番号は、予め特定されるデータフィールドに記憶されてもよい。幾つかの例において、ＩＰソースアドレスは、移動局に関連付けられるＰ−ＴＭＳＩ（Packet  Temporary  Mobile  Subscriber  Identity）番号を、移動局に関連付けられるパケットデータプロトコルアドレスにマッピングすることによって取得され、ＩＰ宛先アドレスは、受信されるメッセージに含まれるＰ−ＴＭＳＩ番号を、ＰＤＰコンテキスト生成手続きの期間中にＳＧＳＮによって記憶されるＭＴＣサーバのＩＰアドレスにマッピングすることによって取得される。
【００１４】
移動局とＳＧＳＮとの間のデータ通信についてのプロトコルスタック最適化の１つの実施形態において、方法は、インターネットプロトコル（ＩＰ）パケットを用いてリレーされるユーザデータグラムプロトコル（ＵＤＰ）パケットを介したターゲットネットワークノードにおけるターゲットアプリケーションへの伝達のために、移動局において最適化されたメッセージを構築することを含む。最適化されたメッセージは、プロトコルスタックのサブネットワーク依存集中プロトコル層（Sub-Network  Dependent  Convergence  Protocol  layer）におけるネットワークサービスアクセスポイント識別子フィールドを用いて、ＵＤＰポート番号を搬送する。
【００１５】
移動局とＳＧＳＮとの間のデータ通信についての最適化されたメッセージをＳＧＳＮによってリレーする幾つかの実施形態において、ＳＧＳＮは、プロトコルスタック最適化に起因して、ユーザデータグラムプロトコル（ＵＤＰ）ヘッダ又はインターネットプロトコル（ＩＰ）ヘッダを含まないメッセージを受信する。幾つかの例において、ＳＧＳＮは、ＵＤＰポート番号情報を、プロトコルスタックのサブネットワーク依存集中プロトコル層におけるネットワークサービスアクセスポイント識別子フィールドから取得する。ＳＧＳＮは、メッセージに記憶されるＰ−ＴＭＳＩを用いて、ＩＰ宛先アドレス及びＩＰソースアドレスも取得する。導出されるＵＤＰポート情報及び取得されるＩＰアドレスに基づいて、ＳＧＳＮは、ＩＰヘッダ及びＵＤＰヘッダを構築し、当該ＩＰヘッダ及び当該ＵＤＰヘッダをメッセージに付加する。ＳＧＳＮは、次いで、ＧＧＳＮを介してＭＴＣアプリケーションサーバにメッセージを送信する。
【００１６】
幾つかの実施形態は、メッセージをＳＧＳＮから移動局に伝達するための技法を対象とする。これらの実施形態のうちの幾つかにおいて、ＳＧＳＮ及び移動局は、最適化されたプロトコルスタックを介して通信する。ＳＧＳＮは、移動局向けのメッセージをＧＧＳＮから受信し、受信されるメッセージからＵＤＰヘッダ及びＩＰヘッダを最適化されたプロトコルスタックに従って除去する。ＳＧＳＮは、次いで、メッセージにおけるデータフィールド、例えばプロトコルスタックの論理リンク制御層におけるサービスアクセスポイント識別子フィールドを予め特定される値に設定して、当該メッセージが最適化されていることを示し、最適化されたメッセージを移動局に送信する。
【００１７】
幾つかの実施形態によれば、１つ以上のプロトコル層を備えるプロトコルスタックを介してＳＧＳＮと通信するように移動局は構成され、プロトコルスタック最適化をサポートすることが可能である。移動局は、無線ネットワークノードにおけるアプリケーション層からメッセージを受信するための受信ユニットと、無線インタフェース上でメッセージを送信するための送信ユニットと、受信ユニットから受信されるメッセージを処理するための処理ユニットとを備える。幾つかの例において、移動局の処理ユニットは、ターゲットネットワークノードにおけるターゲットアプリケーションへの伝達のために、最適化されたメッセージを構築し、当該最適化されたメッセージをＳＧＳＮに送信するように構成されてもよい。幾つかの例において、最適化されたメッセージは、ＵＤＰヘッダ又はＩＰヘッダを含まないが、ターゲットアプリケーションへの伝達の前にＵＤＰ及びＩＰヘッダが最適化されたメッセージに付加されなければならないことをＳＧＳＮに示す値に設定される予め特定されるデータフィールドを含む。
【００１８】
幾つかの実施形態によれば、移動局は、１つ以上のプロトコル層を含むプロトコルスタックを介してＳＧＳＮと通信するように構成される。移動局は、プロトコルスタック最適化をサポートすることが可能である。移動局は、無線インタフェース上のメッセージを受信するための受信ユニットと、無線ネットワークノードにおけるアプリケーション層にメッセージを送信するための送信ユニットと、受信ユニットから受信されるメッセージを処理し、送信ユニットによって送信されるべきメッセージを準備するための処理ユニットと、を備える。幾つかの例において、移動局の処理ユニットは、プロトコルスタック最適化に起因して、ユーザデータグラムプロトコル（ＵＤＰ）又はインターネットプロトコル（ＩＰ）ヘッダを含まないメッセージを受信し、導出されるＵＤＰポート番号情報に基づいてメッセージをターゲットアプリケーションに伝達する前に、メッセージにおける予め特定されるデータフィールドを用いて、ユーザデータグラムプロトコル（ＵＤＰ）ポート番号情報を導出するように構成される。幾つかの例において、予め特定されるデータフィールドは、プロトコルスタックのサブネットワーク依存集中プロトコル層におけるネットワークサービスアクセスポイント識別子フィールドである。
【００１９】
幾つかの実施形態によれば、ＧＰＲＳ通信ネットワークに設けられるＳＧＳＮは、ＧＧＳＮと通信するように構成されてもよく、プロトコルスタック最適化をサポートすることが可能であってもよい。ＳＧＳＮは、メッセージを受信するための入力ユニットと、メッセージを送信するための出力ユニットと、当該入力ユニットから受信されるメッセージを処理し、当該出力ユニットによって送信されるべきメッセージを準備するための処理ユニットと、を備える。幾つかの例において、ＳＧＳＮの処理ユニットは、プロトコルスタック最適化に起因して、ＵＤＰヘッダ又はＩＰヘッダを含まないメッセージを受信するように構成され、メッセージにおける予め特定されるデータフィールドを用いてＵＤＰポート番号情報を導出し、Ｐ−ＴＭＳＩを用いてＩＰ宛先アドレス及びＩＰソースアドレスを取得するように構成される。幾つかの例において、ＳＧＳＮの処理ユニットは、抽出されるＵＤＰポート情報及び取得されるＩＰアドレスに基づいて、ＩＰヘッダ及びＵＤＰヘッダを構築し、ターゲットネットワークノードにおけるターゲットアプリケーションにＧＧＳＮを介してＵＤＰ／ＩＰデータパケットを送信する前に、ＩＰ及びＵＤＰヘッダをメッセージに付加してＵＤＰ／ＩＰデータパケットを形成するようにさらに構成される。
【００２０】
当業者は、以下の詳細な説明を読み、添付の図面を参照すれば、さらなる特徴及び利点を認識するであろう。
【図面の簡単な説明】
【００２１】
添付の図面において、同様の符号は対応する同様の部分を示す。図示される実施形態の特徴は、互いに明らかに除外しない限り、概して組み合わせることができる。例示の実施形態は、図面において表され、この後の説明において詳述される。
【図１】ＭＴＣ装置をサービスする無線通信ネットワークの概略ブロック図を図示する。
【図２】ＧＰＲＳ通信ネットワークにおける種々のネットワークノードにおけるプロトコルスタック層を図示する。
【図３】アプリケーション層メッセージが無線通信ネットワークにわたってルーティングされるプロトコルスタック最適化を図示する。
【図４】最適化されたアプリケーション層メッセージを無線通信ネットワークにおいて送信するフロー図を図示する。
【図５】最適化されたアプリケーション層メッセージを無線通信ネットワークにおいてルーティングするフロー図を図示する。
【図６】最適化されたプロトコルスタックをサポートする無線通信ネットワークにおいてアプリケーション層メッセージをルーティングするフロー図を図示する。
【図７】例示的な移動局のブロック図を図示する。
【図８】例示的なＳＧＳＮのブロック図を図示する。
【発明を実施するための形態】
【００２２】
図２は、標準的なＧＰＲＳ通信ネットワークにおける様々なネットワークノードにおいて実装されるプロトコルスタックを図示する。図２は、これらのプロトコルスタック間で送信される幾つかのメッセージも図示する。移動局におけるプロトコルスタック２０２は、ＧＳＭ  ＲＦ層２３４と、ＭＡＣ（メディアアクセス制御）層２３２と、ＲＬＣ（Radio  Link  Control：無線リンク制御）層２３０と、ＬＬＣ（Logic  Link  Control：論理リンク制御）層２２８と、ＳＮＤＰＣＰ（Sub-Network  Dependent  Control  Protocol：サブネットワーク依存制御プロトコル）層２２６と、ＵＤＰ／ＩＰ層と、アプリケーション層２２０とを備える。プロトコルスタック２０２において、アプリケーション層２２０は、トランスポート層、ＵＤＰ層２２２、ネットワーク層、ＩＰ層２２４の上にある。この特定の例において、アプリケーション層２２０は、ＵＤＰ／ＩＰタイプのアプリケーションである。他の例において、アプリケーション層２２０は、ＴＣＰ／ＩＰタイプのアプリケーション、又は何らかの他のＩＰ関連のアプリケーションであってもよい。プロトコルスタック２０２のＳＮＤＰＣＰ層２２６は、ＴＣＰ／ＩＰ、Ｘ．２５等といったパケットプロトコルを理解し、上位のパケット層を基礎となるＧＰＲＳアクセス層からカプセル化し、上位層のパケットプロトコルを基礎となるＧＰＲＳアクセスプロトコル層に接続するために採用される。
【００２３】
プロトコルスタック２０２において、ＬＬＣ層２２８は、移動局とＳＧＳＮとの間の論理層接続を提供する。ＲＬＣ層２３０は、移動局とＢＳＳとの間に信頼可能な無線リンクを維持する。ＭＡＣ層２３２は、移動局によるＢＳＳ無線リソースへのアクセスに関与する。
【００２４】
ＧＳＭ  ＲＦ層２３４は物理層であり、無線アクセスチャネル及びパケット無線アクセスチャネル等といった、物理的なＧＳＭチャネル及びパケットチャネルにおいて発生する無線送信を扱う。
【００２５】
ＢＳＳにおいて実装されるプロトコルスタック２０４は、Ｕｍインタフェース側において移動局と通信するＲＬＣ層２４２と、ＭＡＣ層２４４と、ＧＳＭ  ＲＦ層２４６とを備える。ＢＳＳとＳＧＳＮとの間のＧｂインタフェース側において、プロトコルスタック２０４は、ＳＧＳＮと通信するＢＳＳＧＰ層２４８と、ネットワークサービス層２５０と、Ｌ１  Ｂｉｓ層２５２とを備える。ＢＳＳとＳＧＳＮとは、フレームリレーネットワーク上で接続される。
【００２６】
ＳＧＳＮ上に実装されるプロトコルスタック２０６において、Ｇｂインタフェース側のプロトコルスタック２０６は、ＢＳＳと通信するＢＳＳＧＰ層２６４と、ネットワークサービス層２６６と、Ｌ１  Ｂｉｓ層２６８と、ＢＳＳのフレームリレー層より上位で移動局と通信するＬＬＣ層２６２と、ＳＮＤＣＰ層２６０とを備える。ＳＧＳＮ上のプロトコルスタック２０６のＧｎインタフェース側は、ＧＴＰ−Ｕ層２７２と、ＴＣＰ／ＵＤＰ層２７４と、ＩＰ層２７６と、Ｌ２／Ｌ１層２７８とを備える。ＳＧＳＮは、Ｇｎインタフェース上でＧＧＳＮと通信する。
【００２７】
ＧＧＳＮ上に実装されるプロトコルスタック２０８において、当該プロトコルスタックのＧｎインタフェース側は、ＧＴＰ−Ｕ層２８０と、ＴＣＰ／ＵＤＰ層２８２と、ＩＰ層２８４と、Ｌ２／Ｌ１層２８６とを備える。ＧＧＳＮは、パケットデータネットワークとインタフェースし、ＭＴＣサーバ上に実装されるプロトコルスタック２１０によって採用されるようなＴＣＰプロトコル／ＵＤＰプロトコル／ＩＰプロトコルを介してデータアプリケーションサーバと通信する。移動局にとって、ＧＧＳＮは、当該ＧＧＳＮがインタフェースするパケットデータネットワークへのエントリーポイントである。
【００２８】
図１の移動局がアプリケーション層２２０においてＭＴＣアプリケーションをサポートする場合、当該移動局は本願においてＭＴＣ装置と称される。ＭＴＣ装置の数及びＭＴＣに関連するトラフィックは、長年にわたって着実に増加してきている。種々の方法及び技法を採用して、制御プレーン及びユーザプレーンの双方において、特に、移動局とＢＳＳとの間の無線インタフェース上の通信について、ＭＴＣに関連するトラフィックを低減することができる。
【００２９】
本明細書において説明される技法によれば、ＰＤＰコンテキストアクティブ化手続きはＭＴＣ装置について除去されて、制御プレーンにおけるトラフィック負荷を低減することができる。前述したように、標準的なＧＰＲＳ通信ネットワークにおいて、移動局に関連付けられるＰＤＰコンテキストは、ＰＤＰアドレス、即ち当該移動局についてのＩＰアドレスと、アクセスポイント名、即ちこの特定のＰＤＰコンテキストにおいてパケットデータネットワークアクセスについて移動局が用いているＧＧＳＮの参照と、要求されるＱｏＳとを特定する。ＧＰＲＳ標準において、移動局は複数のアプリケーションについてＰＤＰコンテキストアクティブ化手続きをアクティベートすることができ、１つよりも多くのＰＤＰコンテキストに関連付けられることができる。
【００３０】
ＭＴＣ装置についてのＰＤＰコンテキストアクティブ化手続きを除去することは、ネットワークにおけるシグナリング負荷を低減する。しかしながら、ＰＤＰコンテキストにおいて通常特定される情報は、ＭＴＣ装置によるデータ送信について依然として必要とされる。例えば、ＰＤＰコンテキストにおいて特定されるＡＰＮは、ＭＴＣ装置についてのＧＧＳＮを識別するためにＳＧＳＮについて必要とされる。要求されるＱｏＳは、当該ＱｏＳを無線チャネルに適用するためにＢＳＳについて必要とされる。ＰＤＰアドレスは、ＭＴＣ装置を識別するためにＧＧＳＮによって必要とされる。１つの解決法は、ＳＧＳＮが、ＧＰＲＳアタッチの成功の直後、又はＭＴＣ装置にアタッチ承認（Attach  Accept）メッセージを送信する直前に、１回限りのＰＤＰコンテキストアクティブ化手続きを実行することである。
【００３１】
ＳＧＳＮがＰＤＰコンテキストアクティブ化手続きをトリガするために、ＳＧＳＮは、ＭＴＣ装置から、当該ＭＴＣ装置の好適なＧＧＳＮのＡＰＮ、及び当該ＭＴＣ装置が通信しようと意図するＭＴＣサーバのアドレスを受信する必要がある。これら２つの情報は、ＭＴＣ装置によってＳＧＳＮに送信されるアタッチ要求メッセージに含まれることができる。あるいは、ＳＧＳＮは、これら２つの情報のうちのどちらかをアタッチメント手続きの期間中にホームロケーションレジスタ（ＨＬＲ）から取得することができる。ＳＧＳＮは、次いで、ＡＰＮをＧＧＳＮのＩＰアドレスにマッピングし、ＭＴＣサーバのアドレスをＭＴＣサーバのＩＰアドレスにマッピングする。ＳＧＳＮは、ＭＴＣサーバのＩＰアドレスを記憶し、当該ＩＰアドレスをＭＴＣ装置と関連付け、当該ＭＴＣ装置はＰ−ＴＭＳＩによって表され得る。ＳＧＳＮは、次いで、ＰＤＰコンテキスト生成要求をＧＧＳＮに送信することによって、ＧＧＳＮに対するＰＤＰコンテキスト生成手続きをトリガする。ＰＤＰコンテキスト生成要求において、対応する移動局がＭＴＣ装置であり、それ故に、このＭＴＣ装置については１つのＰＤＰコンテキストのみが必要とされるであろうという標識（indication）をＳＧＳＮは含む。ＰＤＰコンテキスト生成の期間中、ＧＧＳＮはＰＤＰアドレス（移動局についてのＩＰアドレス）を移動局に割当て、当該ＰＤＰアドレスを、ＰＤＰコンテキスト生成応答を介して又は送信プレーン内の帯域内シグナリングの一部としてＳＧＳＮに送信する。
【００３２】
ＰＤＰコンテキスト生成の期間中に、ＧＧＳＮによってＭＴＣ装置について生成されるＰＤＰアドレスをＳＧＳＮが受信した後、ＳＧＳＮは、ＭＴＣ装置のＰＤＰアドレスを、当該ＭＴＣ装置から送信されるアタッチ要求メッセージに含まれるＡＰＮと関連付け、このようにして、ＭＴＣメッセージをリレーする際に用いるＰＤＰアドレス／ＡＰＮペアを生成する。
【００３３】
アタッチ手続き及びＰＤＰコンテキスト生成手続きの完了後、ＭＴＣ装置は、ＰＤＰコンテキストアクティブ化をそれ以上要求することなく、ＭＴＣメッセージを送信し及び受信することができる。
【００３４】
ＧＰＲＳ通信ネットワークにおいて、移動局は、下記の３つの手続きのうちの１つを用いて、パケットデータをＢＳＳに送信することができる：マルチブロックワンフェーズアクセス、マルチブロックツーフェーズアクセス、又はシングルブロックパケットアクセス。シングルブロックパケットアクセス手続きにおけるシグナリングは、３つのメッセージを含む：移動局によってＢＳＳへ送信される無線アクセスチャネル上のＥＧＰＲＳパケットチャネル要求メッセージ、ＢＳＳによって移動局に送信されるアクセス許可チャネル上の即時割当てメッセージ、移動局によってパケットデータチャネル上で送信されるＭＴＣメッセージ。対照的に、マルチブロックワンフェーズアクセス手続き又はマルチブロックツーフェーズアクセス手続きにおけるシグナリングは、一時的なフローブロック（ＴＢＦ：temporary  flow  block）の確立を要求する。シングルブロックパケットアクセスに含まれる３つのシグナリングメッセージに加えて、マルチブロックアクセス手続きの双方も、パケットデータチャネル上のパケットリソース要求メッセージ、パケットアクセス制御チャネル上のパケットアップリンク割当てメッセージ、及びＡＣＫ／ＮＡＣＫメッセージを要求する。これに比較して、シングルブロックパケットアクセス手続きは、ＭＴＣ装置とＢＳＳとの間の無線インタフェース上のシグナリングトラフィックを最小化し、ＭＴＣメッセージについて実行可能なオプションとなるであろう。
【００３５】
シングルブロックパケットアクセス手続きにおいて、割り当てられるシングル無線ブロックのサイズは、２２オクテットである。著しい数のＭＴＣ装置が、１０オクテット以下の情報から成る短いＭＴＣメッセージを通常に送信するであろうことが予期される。しかしながら、標準的なＧＰＲＳフレームワークにおいて、ＭＴＣアプリケーションは、ＴＣＰ／ＵＤＰ／ＩＰプロトコル層の上で実行され、著しいオーバーヘッドを招く。例えば、ＵＤＰ／ＩＰ層だけでも、ＭＴＣメッセージごとに４６〜４８オクテットのオーバーヘッドを生成する。これは、ＵＤＰ／ＩＰ層が、８オクテットのＩＰｖ６ヘッダと、１６オクテットのＩＰｖ６ソースアドレスと、１６オクテットのＩＰｖ６宛先アドレスと、８オクテットのＵＤＰヘッダとを含むためである。
【００３６】
プロトコルスタック最適化を利用して、ＭＴＣメッセージを無線インタフェース上で送信する場合にプロトコルオーバーヘッドを最小化することができる。プロトコルスタック最適化の幾つかの実施形態において、ＵＤＰ／ＩＰ層は、ＵＤＰ／ＩＰ／ＳＮＤＣＰ／ＩＰプロトコルスタックから除去される。幾つかの実施形態において、ＴＣＰなどのＩＰプロトコルに関連する他のトランスポート層は、プロトコルスタックからＩＰ層と共に除去される。図３は、プロトコルスタック最適化の１つの実施形態を図示する。図３中、移動局において、移動局とＢＳＳとの間の無線インタフェース（Ｕｍ）に関連付けられるＵＤＰ／ＩＰ／ＳＮＤＣＰ／ＩＰプロトコルスタックからＵＤＰ／ＩＰ層が除去される。ＭＴＣ装置とＳＧＳＮとの間で、最適化されたプロトコルスタックを用いてアプリケーション層メッセージ３１２が送信され、次いで、ＳＧＳＮからＭＴＣサーバへ最適化無しで（即ち、ＵＤＰ／ＩＰ層が存在した状態で）ＧＧＳＮを介してリレーされる。
【００３７】
そのような最適化によれば、アプリケーション層メッセージ３１２などの短いＭＴＣメッセージは、シングルブロックパケットアクセス手続きを用いて、Ｎ−ＰＤＵにＵＤＰ／ＩＰパケットを含まない状態で、Ｎ−ＰＤＵ３１６としてＭＴＣアプリケーションからＢＳＳにおけるＳＮＤＣＰへ直接渡されることができる。
【００３８】
システム及びＭＴＣ装置の双方がプロトコルスタック最適化をサポートする場合、最適化されたプロトコルスタックを用いてＭＴＣ装置が短いＭＴＣメッセージを送信する必要がある場合は常に、ＭＴＣ装置は、最適化されたシングルブロックパケットアクセス標識を有するＥＧＰＲＳパケットチャネル要求を送信することができる。
【００３９】
ＢＳＳにとって、最適化されたシングルブロックパケットアクセスの使用を示すＥＧＰＲＳパケットチャネル要求の受信は、シングル無線ブロックを用いて送信されるべきＭＴＣメッセージ（Ｎ−ＰＤＵ）が最適化されたプロトコルスタック（即ち、ＭＴＣメッセージ／ＳＮＤＣＰ／ＬＬＣ／ＲＬＣスタック）のコンテキスト内で搬送されるであろうことを示す。ＢＳＳは、割り当てられるシングル無線ブロックを用いてＭＴＣ装置に即時割当てメッセージを送信することによって、要求を許可することができる。ＭＴＣ装置は、次いで、ＭＴＣメッセージをＮ−ＰＤＵ３１６としてＬＬＣ層を介して送信する。幾つかの実施形態において、Ｎ−ＰＤＵ３１６は、完全なＭＴＣメッセージを搬送するＳＮ−ＰＤＵからＬＬＣ  ＰＤＵペイロードが成るという標識を含む。Ｎ−ＰＤＵ３１６は、最適化されたプロトコルスタックが用いられたという標識も含むことができる。標識は、現在予約されているＳＡＰＩ値（例えば、ＳＡＰＩ＝１０００）を定義することによって提供されてもよい。
【００４０】
図４は、最適化されたプロトコルスタックを用いて短いＭＴＣメッセージを送信するＭＴＣ装置のフローチャートを図示する。ステップ４０２で、アプリケーション層において、ＭＴＣ装置は、ＩＰヘッダ又はＵＤＰヘッダを有しない最適化されたメッセージを構築する。メッセージは、当該メッセージが最適化されたメッセージであることを示すための予め特定されるデータフィールド４０６も含む。ステップ４０４で、ＭＴＣ装置は、最適化されたメッセージを無線インタフェース上で対応するＢＳＳへ送信する。
【００４１】
割り当てられるシングル無線ブロック上で送信されるＬＬＣ  Ｎ−ＰＤＵ３１６をパケットデータチャネル上でＢＳＳが受信する場合、ＢＳＳは、Ｎ−ＰＤＵ３１６をＳＧＳＮにリレーする。幾つかの実施形態において、ＢＳＳは、最適化されたプロトコルスタックが用いられるという標識をＮ−ＰＤＵ３１６に含んでもよい。標識は、現在予約されているＳＡＰＩ値（例えば、ＳＡＰＩ＝１１００）を定義すること、又は、例えば既存の情報エレメントを変更することによってＢＳＳＧＰプロトコルを強化して、最適化されたプロトコルスタックがいつ用いられるのかを示すことによって提供され得る。
【００４２】
ＳＮ−ＰＤＵを受信すると、ＳＧＳＮは、最適化されたプロトコルスタックを用いてメッセージが送信されているかを、ＳＡＰＩ値をチェックすることによってチェックする。最適化されたプロトコルスタックを用いてメッセージが送信されている場合、ＳＧＳＮは、ＭＴＣメッセージをＧＧＳＮに転送する前に、要求されるＵＤＰ／ＩＰパケットを挿入することによってプロキシとしての役割を果たす。図５は、最適化されたアプリケーション層メッセージを処理するＳＧＳＮの例示的なフローチャートを図示する。図５のステップ５０２において、ＳＧＳＮは、当該ＳＧＳＮが最適化されたメッセージを受信し、ＵＤＰヘッダ及びＩＰヘッダを当該メッセージに挿入する必要があると判定する。
【００４３】
ＭＴＣメッセージについてのＵＤＰヘッダを構築するために、ＳＧＳＮは、ソースポート番号及び宛先ポート番号を導出する（ステップ５０４）必要がある。幾つかの実装において、１１個のＵＤＰポート値がＭＴＣアプリケーションのために配分されることができる。ＳＮＤＣＰ層におけるＮＳＡＰＩフィールドは、ＵＤＰポート情報を搬送するために用いられることができる。例えば、最適化されたプロトコルスタックを用いて移動局によってＭＴＣメッセージが送信されるたびに、５−１５の範囲のＮＳＡＰＩフィールドの値は、動的に設定されることができ、ＭＴＣアプリケーションについて配分される１１個の対応するＵＤＰポート値の任意のペアにマッピングされることができる。あるいは、ソースポート番号及び宛先ポート番号は、移動局がアタッチ手続きをトリガする場合に移動局からＳＧＳＮに送信される新たな情報の一部としてＳＧＳＮに搬送されることができる。これは、ＭＴＣサーバ上で同じＭＴＣアプリケーションと常に通信する単一のＭＴＣアプリケーションのみを移動局がサポートする場合に可能である。
【００４４】
ＭＴＣメッセージについてＩＰヘッダを構築するために、ＳＧＳＮは、ＩＰソースアドレス及びＩＰ宛先アドレスを導出する（ステップ５０６）必要がある。ＩＰソースアドレスについて、ＳＧＳＮは、ＧＰＲＳアタッチの期間中に移動局に割り当てられるＰ−ＴＭＳＩを、アタッチ手続きの期間中にＳＧＳＮによって開始されるＰＤＰコンテキスト生成の期間中に移動局に割り当てられるＰＤＰアドレスにマッピングする。ＩＰ宛先アドレスについて、ＳＧＳＮは、ＭＴＣ装置に関連付けられるＭＴＣサーバの記憶されるＩＰアドレスを用いる。ＭＴＣサーバのＩＰアドレスは、移動局がアタッチ手続きをトリガする場合に移動局からＳＧＳＮに送信される新たな情報の一部としてＳＧＳＮによって獲得される。
【００４５】
ＳＧＳＮは、新たに構築されるＩＰヘッダ及びＵＤＰヘッダを、当該ＳＧＳＮがＢＳＳから受信するＳＮ−ＰＤＵに付加して、新たなＮ−ＰＤＵを構築する（ステップ５０８）。ＳＧＳＮは、ＰＤＰコンテキスト生成手続きの期間中に獲得される、ＭＴＣ装置について確立されるＴＥＩＤも取得し、新たなＮ−ＰＤＵを搬送するためのＧＴＰ−Ｕ  ＰＤＵを生成する。ＧＴＰ−Ｕ  ＰＤＵは、次いで、対応するＧＧＳＮに転送される（ステップ５１０）。ＧＧＳＮは、次いで、受信されたＧＴＰ−Ｕ  ＰＤＵを、任意の通常のＧＴＰ−Ｕ  ＰＤＵとして、ＭＴＣサーバのＩＰ宛先アドレスに基づいてＭＴＣサーバに転送する。
【００４６】
ダウンリンクのＭＴＣメッセージについて、ＳＧＳＮは、ＵＤＰ／ＩＰ層を除去することによって、ＧＧＳＮから受信されるＮ−ＰＤＵのサイズを低減することを決定することによってＵＤＰ／ＩＰ層を終端させるためのプロキシとしての役割を果たすことができる。図６は、１つのそのような実施形態を図示する。ＳＧＳＮがＧＴＰ−Ｕ  ＰＤＵをＧＧＳＮから受信する（ステップ６０２）場合、当該ＳＧＳＮは、レガシーの手続きを用いて対応するターゲット移動局を識別し、当該ターゲット移動局はＭＴＣ装置であると判定する。最適化されたプロトコルスタックをＭＴＣ装置がサポートする場合、ＳＧＳＮは、新たなＮ−ＰＤＵが今度はＭＴＣメッセージから成るようにＵＤＰ／ＩＰ層を除去すること（ステップ６０４）によって、ＧＴＰ−Ｕ  ＰＤＵ内で搬送されるＮ−ＰＤＵのサイズを低減することを随意的に決定することができる。ＳＮ−ＰＤＵヘッダ内のＮＳＡＰＩは、ＵＤＰヘッダから抽出されるＵＤＰポート番号情報を搬送するために、再度用いられることができる。ＳＧＳＮは、次いで、ＬＬＣヘッダにおけるフィールドＳＡＰＩなどの予め特定されるデータフィールドを設定して新たなＰＤＵが最適化されていることを示し（ステップ６０６）、次いで、当該新たなＰＤＵをＢＳＳＧＰ  ＰＤＵを経由してＧｂインタフェース上でＢＳＳに向けて送信する。
【００４７】
新たなＮ−ＰＤＵを包含するＢＳＳＧＰ  ＰＤＵは、最適化されたプロトコルスタックが用いられているという標識と共にＢＳＳに送信される。ＢＳＳは、ダウンリンクＴＢＦを確立し始め、新たなＮ−ＰＤＵをＭＴＣ装置に伝達する。
【００４８】
ＭＴＣ装置がＭＴＣメッセージを受信する場合において、最適化されたプロトコルスタックをＭＴＣ装置がサポートするときには、最適化されたプロトコルスタックを用いてＭＴＣメッセージが送信されたかをＭＴＣ装置はチェックする。この標識は、現在予約されているＳＡＰＩ値（例えば、ＳＡＰＩ＝１１００）を定義して、アップリンク送信と同じようにＬＬＣ  ＰＤＵペイロードが完全なＭＴＣメッセージを搬送するＳＮ−ＰＤＵから成る場合を示すことによって提供されてもよい。あるいは、例えばＴＢＦ割当てメッセージにおける既存の情報エレメントを変更することによってダウンリンクＴＢＦ確立手続きが強化されて、最適化されたプロトコルスタックが用いられるであろうことが示されてもよい。
【００４９】
前述された移動局、ＢＳＳ、ＳＧＳＮ、及びＧＧＳＮの種々の機能が、ハードウェア及びソフトウェアの種々の組み合わせを用いて実行され得ることを当業者は認識するであろう。図７及び図８は、それぞれ移動局及びＳＧＳＮの例示的な実施形態を図示する。図７においては、移動局７０８が示され、データ処理のための処理ユニット７０２と、無線インタフェース上でＢＳＳに無線データを送信し及びＢＳＳから無線データを受信する送受信器ユニット７０４とを備える。図８においては、ＳＧＳＮ８０２が示され、プロセッサ８０４と、入力／出力ユニット８０２とを備える。処理ユニット７０２及びプロセッサ８０４は、１つ以上の市販の又はカスタムのマイクロプロセッサ、マイクロコントローラ、又はデジタル信号プロセッサに対応し得る。随意的に、移動局７０８及びＳＧＳＮ８０２の双方は、上述された機能を実装するために用いられるソフトウェア、ファームウェア、及びデータを含むメモリデバイスを備えてもよい。これらのメモリデバイスは、下記のタイプのデバイスを含み得るが、これらに限定されない：キャッシュ、ＲＯＭ、ＰＲＯＭ、ＥＰＲＯＭ、ＥＥＰＲＯＭ、フラッシュ、ＳＲＡＭ、及びＤＲＡＭ。
【図１】
2013530614.tif 000003
【図２】
2013530614.tif 000004
【図３】
2013530614.tif 000005
【図４】
2013530614.tif 000006
【図５】
2013530614.tif 000007
【図６】
2013530614.tif 000008
【図７】
2013530614.tif 000009
【図８】
2013530614.tif 000010
【手続補正書】
【提出日】平成24年3月9日(2012.3.9)
【手続補正１】
【補正対象書類名】特許請求の範囲
【補正対象項目名】全文
【補正方法】変更
【補正の内容】
【特許請求の範囲】
【請求項１】
ＭＴＣ（machine-type  communication）装置（７０８）とＳＧＳＮ（Serving  GPRS  Support  Node）（８０２）との間のデータ通信についてのプロトコルスタック最適化の方法（４００）であって、前記ＭＴＣ装置及び前記ＳＧＳＮは、１つ以上のプロトコル層を備えるプロトコルスタックを介して通信し、前記方法は、
インターネットプロトコル（ＩＰ）パケットを用いるターゲットネットワークノードにおけるターゲットＭＴＣアプリケーションへの伝達のために、ＭＴＣメッセージ（３１２）を前記ＭＴＣ装置において構築すること（４０２）と、前記ＭＴＣ装置は、ユーザデータグラムプロトコル（ＵＤＰ）／ＩＰ層無しのプロトコルスタックを有することと、
前記ＭＴＣメッセージを前記ＭＴＣ装置から前記ＳＧＳＮへ送信すること（４０４）と、
を含み、
前記ＭＴＣメッセージはＵＤＰ／ＩＰヘッダを含まず、
前記ＭＴＣメッセージにおける予め特定されるデータフィールドは、前記ターゲットＭＴＣアプリケーションへの伝達の前にＵＤＰタイプのトランスポート層ヘッダ及びＩＰヘッダが前記ＭＴＣメッセージに付加されなければならないことを前記ＳＧＳＮに示す値に設定される、
方法。
【請求項２】
前記ＭＴＣ装置及び前記ＳＧＳＮは、ＧＰＲＳネットワークに存在し、前記予め特定されるデータフィールドは、前記プロトコルスタックの論理リンク制御層におけるサービスアクセスポイント識別子フィールドである、請求項１に記載の方法。
【請求項３】
前記ＭＴＣメッセージは、ＵＤＰヘッダを含まず、前記ＭＴＣメッセージにおける前記予め特定されるデータフィールドは、前記ターゲットＭＴＣアプリケーションへの伝達の前にＵＤＰヘッダ及びＩＰヘッダが前記ＭＴＣメッセージに付加されなければならないことを前記ＳＧＳＮに示す値に設定される、請求項１に記載の方法。
【請求項４】
１つ以上のプロトコル層を備えるプロトコルスタックを介して通信するＭＴＣ（machine-type  communication）装置（７０８）とＳＧＳＮ（Serving  GPRS  Support  Node）（８０２）との間のデータ通信についてのＭＴＣメッセージ（３１２）をリレーする方法（５００）であって、前記方法は、
前記ＳＧＳＮにおいてＭＴＣメッセージを受信すること（５０２）と、前記ＭＴＣメッセージを送信した前記ＭＴＣ装置はユーザデータグラムプロトコル（ＵＤＰ）／ＩＰ層無しのプロトコルスタックを有するため、前記ＭＴＣメッセージは、ユーザデータグラムプロトコル（ＵＤＰ）ヘッダ又はインターネットプロトコル（ＩＰ）ヘッダを含まないことと、
予め特定されるデータフィールドをチェックすることによって、受信される前記ＭＴＣメッセージが最適化されたＭＴＣメッセージであることを確認することと、
受信される前記ＭＴＣメッセージが最適化されたＭＴＣメッセージであることを確認することに応じて、前記ＭＴＣメッセージにおいて欠損しているユーザデータグラムポート（ＵＤＰ）ソースポート番号及びＵＤＰ宛先ポート番号を取得し（５０４）、前記ＭＴＣメッセージにおいて欠損しているインターネットプロトコル（ＩＰ）宛先アドレス及びＩＰソースアドレスを取得すること（５０６）と、
取得される前記ＵＤＰポート番号及び前記ＩＰアドレスに基づいて、前記ＭＴＣメッセージに付加されるべきＵＤＰヘッダ及びＩＰヘッダを構築すること（５０８）と、
前記ＭＴＣメッセージを送信することと、
を含む、方法。
【請求項５】
前記ＭＴＣ装置及び前記ＳＧＳＮはＧＰＲＳネットワークに存在する、請求項４に記載の方法。
【請求項６】
受信される前記ＭＴＣメッセージに対応するＰ−ＴＭＳＩ（Packet  Temporary  Mobile  Subscriber  Identity）番号を、前記ＭＴＣ装置に関連付けられるパケットデータプロトコルアドレスにマッピングすることによって、前記ＩＰソースアドレスが取得される、請求項５に記載の方法。
【請求項７】
受信される前記ＭＴＣメッセージに含まれるＰ−ＴＭＳＩ（Packet  Temporary  Mobile  Subscriber  Identity）番号を、ターゲットネットワークノードに関連付けられるパケットデータプロトコルアドレスにマッピングすることによって、前記ＩＰ宛先アドレスが取得される、請求項５に記載の方法。
【請求項８】
ＭＴＣ（machine-type  communication）装置（７０８）とＳＧＳＮ（Serving  GPRS  Support  Node）（８０２）との間のデータ通信についてのプロトコルスタック最適化の方法（４００）であって、前記ＭＴＣ装置及び前記ＳＧＳＮは、１つ以上のプロトコル層を備えるプロトコルスタックを介して通信し、前記方法は、
インターネットプロトコル（ＩＰ）パケットを用いてリレーされるユーザデータグラムプロトコル（ＵＤＰ）パケットを介したターゲットネットワークノードにおけるターゲットＭＴＣアプリケーションへの伝達のために、ＭＴＣメッセージを前記ＭＴＣ装置において構築すること（４０２）と、前記ＭＴＣ装置は、ユーザデータグラムプロトコル（ＵＤＰ）／ＩＰ層無しのプロトコルスタックを有することと、
前記ＭＴＣメッセージを前記ＭＴＣ装置から前記ＳＧＳＮへ送信すること（４０４）と、
によって特徴付けられ、
前記ＭＴＣメッセージはＵＤＰヘッダ又はＩＰヘッダを含まず、
前記ＭＴＣメッセージにおける予め特定されるデータフィールド、及び前記ＭＴＣメッセージに対応するネットワークノード識別番号は、ユーザデータグラムプロトコル（ＵＤＰ）ポート番号情報を導出するために用いられ、第２の予め特定される第２のデータフィールドは、前記ＭＴＣメッセージが最適化されていることを示す、
方法。
【請求項９】
前記ＭＴＣ装置及び前記ＳＧＳＮは、ＧＰＲＳネットワークに存在し、前記予め特定されるデータフィールドは、前記プロトコルスタックのサブネットワーク依存集中プロトコル層におけるネットワークサービスアクセスポイント識別子フィールドであり、前記ネットワークノード識別番号は、Ｐ−ＴＭＳＩ（Packet_Temporary  Mobile  Subscriber  Identity）である、請求項８に記載の方法。
【請求項１０】
前記ＭＴＣ装置及び前記ＳＧＳＮは、ＧＰＲＳネットワークに存在し、前記ＭＴＣメッセージにおける第２の予め特定されるデータフィールドは、前記ターゲットＭＴＣアプリケーションへの伝達の前にＵＤＰヘッダ及びＩＰヘッダが前記ＭＴＣメッセージに付加されなければならないことを前記ＳＧＳＮに示す値に設定される、請求項８に記載の方法。
【請求項１１】
前記第２の予め特定されるデータフィールドは、前記プロトコルスタックの論理リンク制御層におけるサービスアクセスポイント識別子フィールドである、請求項１０に記載の方法。
【請求項１２】
前記対応するネットワークモード識別子番号は、アタッチ手続きの期間中に前記ＭＴＣ装置に割り当てられるＰ−ＴＭＳＩ（Packet  Temporary  Mobile  Subscriber  Identity）であり、当該Ｐ−ＴＭＳＩについて対応するＩＰアドレス情報及びＵＤＰポート情報は、前記アタッチ手続き及びＰＤＰコンテキストアクティブ化手続きの期間中に前記ＭＴＣ装置と前記ＳＧＳＮとの間で渡される情報を用いて識別される、請求項８に記載の方法。
【請求項１３】
１つ以上のプロトコル層を備えるプロトコルスタックを介して通信するＭＴＣ（machine-type  communication）装置（７０８）とＳＧＳＮ（Serving  GPRS  Support  Node）（８０２）との間のデータ通信についてのＭＴＣメッセージ（３１２）をリレーする方法（５００）であって、前記方法は、
前記ＳＧＳＮにおいてＭＴＣメッセージを受信すること（５０２）と、
前記ＭＴＣメッセージを送信した前記ＭＴＣ装置はユーザデータグラムプロトコル（ＵＤＰ）／ＩＰ層無しのプロトコルスタックを有するため、前記ＭＴＣメッセージは、ユーザデータグラムプロトコル（ＵＤＰ）ヘッダ又はインターネットプロトコル（ＩＰ）ヘッダを含まないことと、
前記ＭＴＣメッセージにおける予め特定されるデータフィールド、及び、前記ＭＴＣメッセージに対応するネットワークノード識別番号を用いて、ユーザデータグラムプロトコル（ＵＤＰ）ポート番号情報を導出すること（５０４）と、
前記ＭＴＣメッセージに対応する前記ネットワークノード識別番号を用いて、ＩＰ宛先アドレス及びＩＰソースアドレスを取得すること（５０６）と、
取得される前記ＵＤＰポート情報及び取得される前記ＩＰアドレスに基づいて、ＩＰヘッダ及びＵＤＰヘッダを構築し、当該ＩＰヘッダ及び当該ＵＤＰヘッダを前記ＭＴＣメッセージに付加すること（５０８）と、
前記ＭＴＣメッセージを送信すること（５１０）と、
によって特徴付けられる、方法。
【請求項１４】
前記ＭＴＣ装置及び前記ＳＧＳＮは、ＧＰＲＳネットワークに存在し、前記予め特定されるデータフィールドは、前記プロトコルスタックのサブネットワーク依存集中プロトコル層におけるネットワークサービスアクセスポイント識別子フィールドであり、前記ネットワークノード識別番号は、Ｐ−ＴＭＳＩ（Packet  Temporary  Mobile  Subscriber  Identity）である、請求項１３に記載の方法。
【請求項１５】
第２の予め特定されるデータフィールドをチェックすることによって、受信される前記ＭＴＣメッセージが最適化されたＭＴＣメッセージであることを確認すること、
をさらに含む、請求項１３に記載の方法。
【請求項１６】
前記第２の予め特定されるデータフィールドは、前記プロトコルスタックの論理リンク制御層におけるサービスアクセスポイント識別子フィールドである、請求項１５に記載の方法。
【請求項１７】
対応する前記ネットワークノード識別番号は、アタッチ手続きの期間中に前記ＭＴＣ装置に割り当てられるＰ−ＴＭＳＩ（Packet  Temporary  Mobile  Subscriber  Identity）であり、当該Ｐ−ＴＭＳＩについて対応するＩＰアドレス情報及びＵＤＰポート情報は、前記アタッチ手続き及びＰＤＰコンテキストアクティブ化手続きの期間中に前記ＭＴＣ装置と前記ＳＧＳＮとの間で渡される情報を用いて識別される、請求項１３に記載の方法。
【請求項１８】
ＳＧＳＮ（Serving  GPRS  Support  Node）（８０２）から基地局サブシステム（ＢＳＳ：Base  Station  Subsystem）へＭＴＣ（machine-type  communication）メッセージ（３１２）を伝達する方法（６００）であって、前記ＳＧＳＮ及び前記ＢＳＳは、１つ以上のプロトコル層を備えるプロトコルスタックを介して通信し、前記ＢＳＳは、プロトコルスタック最適化をサポートすることが可能であり、前記方法は、
前記ＳＧＳＮにおいてＭＴＣメッセージを受信すること（６０２）と、
プロトコルスタック最適化のために、受信される前記メッセージからユーザデータグラムプロトコル（ＵＤＰ）ヘッダ及びインターネットプロトコル（ＩＰ）ヘッダを除去すること（６０４）と、
前記メッセージにおけるデータフィールドを予め特定される値に設定して、前記ＭＴＣメッセージが最適化されていることを示すこと（６０６）と、
ユーザデータグラムプロトコル（ＵＤＰ）／ＩＰ層無しのプロトコルスタックを有するＭＴＣ装置（７０８）に前記ＭＴＣメッセージを伝達する前記ＢＳＳに、前記ＭＴＣメッセージを送信すること（６０８）と、
によって特徴付けられる、方法。
【請求項１９】
前記ＳＧＳＮ及び前記ＢＳＳは、ＧＰＲＳネットワークに存在する、請求項１８に記載の方法。
【請求項２０】
前記予め特定されるデータフィールドは、前記プロトコルスタックの論理リンク制御層におけるサービスアクセスポイント識別子フィールドである、請求項１８に記載の方法。
【請求項２１】
１つ以上のプロトコル層を備えるプロトコルスタックを介してＳＧＳＮ（Serving  GPRS  Support  Node）（８０２）と通信するように構成される、プロトコルスタック最適化をサポートすることが可能な無線ＭＴＣ（machine-type  communication）装置（７０８）であって、当該無線ＭＴＣ装置は、
前記無線ＭＴＣ装置におけるアプリケーション層からメッセージを受信するための受信ユニット（７０４）と、
前記無線インタフェース上でメッセージを送信するための送信ユニット（７０４）と、
前記受信ユニットから受信されるメッセージを処理するための処理ユニット（７０２）と、
によって特徴付けられ、
当該処理ユニットは、
ユーザデータグラムプロトコル（ＵＤＰ）／インターネットプロトコル（ＩＰ）パケットを介したターゲットネットワークノードにおけるターゲットＭＴＣアプリケーションへの伝達のために、ＭＴＣメッセージを構築し、
前記ＭＴＣメッセージを前記ＳＧＳＮに送信するように構成され、
前記ＭＴＣメッセージは、ＵＤＰヘッダ又はＩＰヘッダを含まず、
前記ＭＴＣメッセージにおける予め特定されるデータフィールドは、前記ターゲットネットワークノードへの伝達の前にＵＤＰヘッダ及びＩＰヘッダが前記ＭＴＣメッセージに付加されなければならないことを前記ＳＧＳＮに示す値に設定され、前記ＭＴＣ装置は、ユーザデータグラムプロトコル（ＵＤＰ）／ＩＰ層無しのプロトコルスタックを有する、
無線ＭＴＣ装置。
【請求項２２】
１つ以上のプロトコル層を備えるプロトコルスタックを介してＳＧＳＮ（Serving  GPRS  Support  Node）（８０２）と通信するように構成される、プロトコルスタック最適化をサポートすることが可能な無線ＭＴＣ（machine-type  communication）装置（７０８）であって、当該無線ＭＴＣ装置は、
前記無線インタフェース上のＭＴＣメッセージを受信するための受信ユニット（７０４）と、
前記無線ＭＴＣ装置におけるアプリケーション層に、受信されるメッセージを送信するための送信ユニット（７０４）と、
前記受信ユニットから受信されるＭＴＣメッセージを処理し、前記送信ユニットによって送信されるべきＭＴＣメッセージを準備するための処理ユニット（７２０）と、
によって特徴付けられ、
当該処理ユニットは、
ＭＴＣメッセージ（３１２）を受信し、
前記データパケットにおける予め特定されるデータフィールドを用いて、ユーザデータグラムプロトコル（ＵＤＰ）ポート番号情報を導出し、
取得される前記ＵＤＰポート番号情報に基づいて、前記ＭＴＣメッセージを前記アプリケーション層に伝達する、
ように構成され、
前記ＭＴＣ装置は、ユーザデータグラムプロトコル（ＵＤＰ）／ＩＰ層無しのプロトコルスタックを有し、
プロトコルスタック最適化に起因して、前記メッセージは、ユーザデータグラムプロトコル（ＵＤＰ）又はインターネットプロトコル（ＩＰ）ヘッダを含まない、
無線ＭＴＣ装置。
【請求項２３】
前記無線ＭＴＣ装置及び前記ＳＧＳＮは、ＧＰＲＳネットワークに存在し、前記予め特定されるデータフィールドは、前記プロトコルスタックのサブネットワーク依存集中プロトコル層におけるネットワークサービスアクセスポイント識別子フィールドである、請求項２２に記載の無線ＭＴＣ装置。
【国際調査報告】
2013530614.tif 000011
2013530614.tif 000012
2013530614.tif 000013